(57)【要約】【課題】モノクロ画像とカラー画像が混在する画像を出力するような場合であっても、回転多面鏡の回転速度を一定に保ち、プリント速度の低下を招くことの無い画像形成装置を提供する。【解決手段】画像データに基づいて変調されたレーザビームを複数の光偏向面を備えた回転多面鏡３０３ａにより偏向走査するレーザヘッド３００と、設定されたプロセス速度で回転し、前記レーザビームにより主走査方向及び副走査方向に露光される感光体３１０と、前記画像データがカラーデータかモノクロデータかに基づいて前記プロセス速度を切り替えるプロセス速度切替部８２を備えた画像形成装置Ａに、前記プロセス速度に関わらず前記回転多面鏡３０３ａの回転速度が一定に保持され、前記プロセス速度に応じて前記画像データを補正し、前記副走査方向倍率を調整する像倍率調整部２１を備える。【選択図】図１
2008292518.tif 000002
【特許請求の範囲】
【請求項１】
画像データに基づいて変調されたレーザビームを複数の光偏向面を備えた回転多面鏡により偏向走査するレーザヘッドと、前記レーザヘッドにより主走査方向に露光され、且つ、設定されたプロセス速度で回転して副走査方向に露光される感光体と、前記画像データがカラーデータかモノクロデータかに基づいて前記プロセス速度を切り替えるプロセス速度切替部を備えて構成される画像形成装置であって、
前記プロセス速度に関わらず前記回転多面鏡の回転速度が一定に保持され、前記プロセス速度に応じて前記画像データを補正し、前記副走査方向倍率を調整する像倍率調整部を備えている画像形成装置。
【請求項２】
プロセス速度切替部はモノクロデータのプロセス速度よりカラーデータのプロセス速度が小となるように切り替え、前記像倍率調整部は当該カラーデータの副走査方向画素をプロセス速度の切替比率に基づく画素単位に補間する請求項１記載の画像形成装置。
【請求項３】
前記像倍率調整部は当該カラーデータの副走査方向画素をプロセス速度の切替比率に基づく画素単位に非印字データを補間する請求項２記載の画像形成装置。
【請求項４】
前記像倍率調整部は当該カラーデータの副走査方向画素をプロセス速度の切替比率に基づく画素単位に直前または直後の画素データを補間する請求項２記載の画像形成装置。
【請求項５】
前記像倍率調整部は当該カラーデータの副走査方向画素をプロセス速度の切替比率に基づく画素単位に直前及び直後の所定数の画素データから算出される値を補間する請求項２記載の画像形成装置。
【請求項６】
プロセス速度切替部はモノクロデータのプロセス速度よりカラーデータのプロセス速度が小となるように切り替え、前記像倍率調整部は当該モノクロデータの副走査方向画素をプロセス速度の切替比率に基づく画素単位に間引く請求項１記載の画像形成装置。
【発明の詳細な説明】
【技術分野】
【０００１】
本発明は、画像データに基づいて変調されたレーザビームを複数の光偏向面を備えた回転多面鏡により偏向走査するレーザヘッドと、前記レーザヘッドにより主走査方向に露光され、且つ、設定されたプロセス速度で回転して副走査方向に露光される感光体と、前記画像データがカラーデータかモノクロデータかに基づいて前記プロセス速度を切り替えるプロセス速度切替部を備えて構成される画像形成装置に関する。
【背景技術】
【０００２】
電子写真方式を採用した画像形成装置は、画像データに基づいて変調されたレーザビームを、所定の速度で回転する回転多面鏡の備える複数の光偏向面により偏向走査して、設定されたプロセス速度で回転する感光体を主走査方向、及び副走査方向に露光し、前記感光体上に潜像を形成する。前記潜像は、現像装置によりトナー画像として現像されて記録紙に転写され、定着器により定着されて出力される。
【０００３】
近年、前記画像形成装置の多くは、カラー画像を出力可能に構成されるが、出力画像がモノクロ画像であるときとカラー画像であるときとで、市場からの画像形成装置に対する要求は異なる。つまり、出力頻度が高いモノクロ画像に較べて高い画像品質が望まれるカラー画像は、短持間で画像が出力されることよりも高い画像品質を実現することが望まれるのである。そこで、色ずれ等を回避するため、カラー画像を出力する際のプロセス速度は、モノクロ画像を出力する際のプロセス速度よりも遅い速度に設定されることが多い。
【０００４】
ところで、前記画像形成装置の備える回転多面鏡の回転速度は、出力する画像の解像度、及び画像形成のプロセス速度と比例関係にあるため、出力する画像の解像度またはプロセス速度に合わせて回転多面鏡の回転速度を変更する必要がある。
【０００５】
しかし、前記回転速度を変更するとその値が安定するまでには長い時間、例えば回転速度が５０００ｒｐｍ前後であるときには５〜６秒が必要となり、前記回転速度が安定するまで画像形成を行うことができない。そこで、モノクロ画像とカラー画像が混在する画像を出力するようなときには一連のプリント処理時間が長くなると言う問題があった。
【０００６】
一方、特許文献１には、高い画像品質を得るために高速回転する回転多面鏡の回転ムラを一定値以下に抑えつつ、出力する画像の全ての走査密度に対応できるように、形成する画像の解像度の比の最小公倍数の光偏向面を有する回転多面鏡を備え、前記光偏光面の利用割合を各解像度に対応させて変更することで、実質的に回転多面鏡の回転速度を変更させたときと同様の効果をもたらし、前記回転多面鏡の回転速度を変更することなく解像度の異なる画像を形成可能な画像形成装置が開示されている。
【０００７】
【特許文献１】特開平７−３１８８４３号公報
【発明の開示】
【発明が解決しようとする課題】
【０００８】
そこで、モノクロ画像とカラー画像が混在する画像を出力するようなときに、特許文献１に開示された技術を適用して回転多面鏡の利用割合を変更することで、回転多面鏡の回転速度を切替える必要は無くなり、一連のプリント処理時間が長くなることを防止することも考えられる。
【０００９】
しかし、特許文献１に開示された技術を適用するには、回転多面鏡の利用する光偏向面にのみレーザビームを照射する必要があるため、前記レーザビームスキャンの副走査方向の同期タイミングを切替えるためのクロック切替回路を画像形成装置に備えねばならず、更に、回転多面鏡の光偏向面数はプロセス速度に応じて設定する必要があり、回転多面鏡選定の自由度が阻害され、部品コストの上昇を招く虞がある。
【００１０】
本発明の目的は、上述の問題に鑑み、モノクロ画像とカラー画像が混在する画像を出力するような場合であっても、回転多面鏡の回転速度を一定に保ち、プリント速度の低下を招くことの無い画像形成装置を提供する点にある。
【課題を解決するための手段】
【００１１】
上述の目的を達成するため、本発明による画像形成装置の第一の特徴構成は、特許請求の範囲の書類の請求項１に記載した通り、画像データに基づいて変調されたレーザビームを複数の光偏向面を備えた回転多面鏡により偏向走査するレーザヘッドと、前記レーザヘッドにより主走査方向に露光され、且つ、設定されたプロセス速度で回転して副走査方向に露光される感光体と、前記画像データがカラーデータかモノクロデータかに基づいて前記プロセス速度を切り替えるプロセス速度切替部を備えて構成される画像形成装置であって、前記プロセス速度に関わらず前記回転多面鏡の回転速度が一定に保持され、前記プロセス速度に応じて前記画像データを補正し、前記副走査方向倍率を調整する像倍率調整部を備えている点にある。
【００１２】
画像形成中にプロセス速度が切り替えられるとき、出力画像の画像データに基づいて変調されたレーザビームによって感光体に形成される潜像の副走査方向倍率を、本来あるべき倍率に維持するために前記プロセス速度の切替前と切替後で回転多面鏡の回転速度を変更すると、前記回転速度が安定するまで画像形成中断を余儀なくされ生産性が低下する。
【００１３】
上述の構成によれば、切り替えられたプロセス速度に応じて像倍率調整部により補正された画像データに基づいて変調されたレーザビームによって、感光体に形成される潜像の副走査方向倍率は本来あるべき倍率に調整されるため、画像形成中のプロセス速度の切り替えに対して、前記レーザヘッドの複雑な制御や前記回転多面鏡の回転速度を変更する必要がなく、前記回転速度の安定に要する時間を不要とし、生産性の低下を防止することができる。
【００１４】
同第二の特徴構成は、同請求項２に記載した通り、上述の第一の特徴構成に加えて、プロセス速度切替部はモノクロデータのプロセス速度よりカラーデータのプロセス速度が小となるように切り替え、前記像倍率調整部は当該カラーデータの副走査方向画素をプロセス速度の切替比率に基づく画素単位に補間する点にある。
【００１５】
画像形成中のプロセス速度が、モノクロデータに基づいて変調されたレーザビームにより感光体に形成される潜像の副走査方向倍率が本来あるべき倍率となるように設定されているとき、前記モノクロデータのプロセス速度より前記モノクロデータと副走査方向に同一の解像度を有したカラーデータのプロセス速度が小であると、前記カラーデータに基づいて変調されたレーザビームにより感光体に形成される潜像は副走査方向に圧縮されてしまう。
【００１６】
上述の構成によれば、画像形成中に前記モノクロデータから前記カラーデータのプロセス速度に切り替えられたとき、前記像倍率調整部によりプロセス速度の切替比率に基づいて前記カラーデータの副走査方向画素が画素単位に補間されるため、補間後のカラーデータに基づいて変調されたレーザビームにより感光体に形成される潜像は、副走査方向に圧縮されない。
【００１７】
同第三の特徴構成は、同請求項３に記載した通り、上述の第二の特徴構成に加えて、前記像倍率調整部は当該カラーデータの副走査方向画素をプロセス速度の切替比率に基づく画素単位に非印字データを補間する点にある。
【００１８】
上述の構成によれば、前記像倍率調整部は、当該カラーデータの内容に関わらず、例えば、白データ等からなる非印字データを補間すればよいため、極めて小さな負荷で当該補間処理を行うことができる。
【００１９】
同第四の特徴構成は、同請求項４に記載した通り、上述の第二の特徴構成に加えて、前記像倍率調整部は当該カラーデータの副走査方向画素をプロセス速度の切替比率に基づく画素単位に直前または直後の画素データを補間する点にある。
【００２０】
上述の構成によれば、補間される画像データは直前または直後の画像データでなるため、前記像倍率調整部は、画像データの連続性を確保しつつ、小さな負荷で当該補間処理を行うことができる。
【００２１】
同第五の特徴構成は、同請求項５に記載した通り、上述の第二の特徴構成に加えて、前記像倍率調整部は当該カラーデータの副走査方向画素をプロセス速度の切替比率に基づく画素単位に直前及び直後の所定数の画素データから算出される値を補間する点にある。
【００２２】
上述の構成によれば、前記像倍率調整部は、直前及び直後の所定数の画像データから算出される値を画像データとして補間するため、画像データの自然な連続性を確保することができる。
【００２３】
同第六の特徴構成は、同請求項６に記載した通り、上述の第一の特徴構成に加えて、プロセス速度切替部はモノクロデータのプロセス速度よりカラーデータのプロセス速度が小となるように切り替え、前記像倍率調整部は当該モノクロデータの副走査方向画素をプロセス速度の切替比率に基づく画素単位に間引く点にある。
【００２４】
画像形成中のプロセス速度が、カラーデータに基づいて変調されたレーザビームにより感光体に形成される潜像の副走査方向倍率が本来あるべき倍率となるように設定されているとき、前記カラーデータと副走査方向に同一の解像度を有したモノクロデータのプロセス速度より前記カラーデータのプロセス速度が小であると、前記モノクロデータに基づいて変調されたレーザビームにより感光体に形成される潜像は副走査方向に伸長されてしまう。
【００２５】
上述の構成によれば、画像形成中に前記カラーデータから前記モノクロデータのプロセス速度に切り替えられたとき、前記像倍率調整部によりプロセス速度の切替比率に基づいて前記モノクロデータの副走査方向画素が画素単位に間引きされるため、間引き後のモノクロデータに基づいて変調されたレーザビームにより感光体に形成される潜像は、副走査方向に伸長されない。
【発明の効果】
【００２６】
以上説明した通り、本発明によれば、モノクロ画像とカラー画像が混在する画像を出力するような場合であっても、回転多面鏡の回転速度を一定に保ち、プリント速度の低下を招くことの無い画像形成装置を提供することができるようになった。
【発明を実施するための最良の形態】
【００２７】
以下に、画像形成装置の一例であるプリンタを用いて本発明を説明する。
【００２８】
電子写真方式が採用されたプリンタＡは、図２に示すように、ネットワークＬＡＮを介して複数のパーソナルコンピュータ（以下、「パソコン」と記載する。）Ｂと接続されている。
【００２９】
プリンタＡは、ネットワークＬＡＮを介して、パソコンＢから送信される画像データを受信するネットワークインタフェース等を備えた画像入力部１と、画像処理用ＡＳＩＣや画像データ記憶用のＲＡＭなどを備え、前記画像データに所定の処理を施して出力用画像データを生成する画像処理部２と、前記出力用画像データに基づいて記録紙にトナー画像を転写する画像形成部３と、前記記録紙を格納する給紙トレイ４と、加熱ヒータを備えた定着ローラなどから構成され、画像形成部３で転写されたトナー画像を加熱して記録紙に定着させる熱定着部５と、搬送ローラや搬送ベルト等から構成され、前記記録紙を給紙・搬送・排紙する給紙搬送排紙機構６と、前記記録紙が排出される排紙部７と、ＣＰＵと前記ＣＰＵの動作プログラム等が格納されたＲＯＭと作業領域となるＲＡＭとインターフェース回路やその他の周辺回路等から構成されるシステム制御部８とを備えて構成される。
【００３０】
画像形成部３は、図３に示すように、感光体３１０と、感光体３１０の周囲に順に配置され、感光体３１０の表面を均一に帯電する帯電ローラ３５０と、出力用画像データに基づいて変調したレーザビームにより、帯電された感光体３１０を露光して潜像を形成するプリントヘッド３００と、前記形成された潜像にトナーを静電付着させてトナー画像を顕像化する現像部３２０と、支持ローラ３２により支持されると共に所定の速度で回転駆動される転写ベルト３１と、転写ベルト３１に前記トナー画像を一次転写する一次転写ローラ３３と、一次転写後、感光体３１０に残存するトナーを除去するクリーニング部３４０と、感光体３１０表面の残留電位を落して均一にする除電ランプ（不図示）と、給紙搬送排紙機構６を構成するピックアップローラ６０、搬送ローラ６１、レジストローラ６２等により給紙トレイ４から給紙された記録紙に、転写ベルト３１に一次転写されたトナー画像を二次転写する二次転写ローラ３４とを備えて構成される。
【００３１】
現像部３２０は、イエロー（Ｙ）、シアン（Ｃ）、マゼンダ（Ｍ）、ブラック（Ｋ）の４色の現像器が取り付けられた回転体により構成され、各色の現像器を順次感光体３１０に対向させて夫々に対応する潜像を現像するように構成される。
【００３２】
レーザヘッド３００は、図１に示すように、感光体３１０表面を露光して潜像を形成するレーザビームの光源であるレーザダイオード（以下、「ＬＤ」と記載する。）３０１ａと、複数の光偏向面を備えて回転する回転多面鏡３０３ａ等を備え、バッファ３０１ｃにバッファリングされた出力用画像データに基づいてＬＤ３０１ａから照射するレーザビームを変調し、回転多面鏡３０３ａで偏向走査して感光体３１０を露光する。
【００３３】
システム制御部８の備えるＣＰＵは、ＲＯＭに格納された動作プログラムを実行し、ＲＯＭ、ＲＡＭ、周辺回路等のハードウェアと協働して各機能ブロックを制御し、プリンタＡとしての処理を実行させる。即ち、システム制御部８は各機能ブロックを制御する複数の制御部を備える。後述するレーザ駆動制御部、ポリゴンモータ駆動制御部、プロセス速度制御部は、前記複数の制御部の一部である。
【００３４】
システム制御部８の備える夫々に対応する制御部に制御され、画像入力部１はパソコンＢから送信された画像データを受信すると前記画像データをＲＡＭに格納する。画像処理部２は前記ＲＡＭに格納された前記画像データからビットマップデータでなる出力用画像データを、ページ単位でＹＣＭＫ色成分毎に生成してＲＡＭに格納し、ＹＣＭＫ色の順序でページ単位にバッファ３０１ｃに前記出力用画像データを一ライン分ずつバッファリングする。
【００３５】
ここで、ＲＡＭに格納された出力用画像データ数に基づき、前記出力用画像データがカラーデータであるかモノクロデータであるのかは容易に識別することができる。つまり、画像処理部２はページ単位で画像データがカラーデータであるかモノクロデータであるのかを識別するカラー識別部２０を備える。
【００３６】
レーザ駆動制御部８０に制御されたレーザヘッド３００は、ページ単位で、且つ、ＹＣＭＫ色の所定順序で繰り返して、バッファ３０１ｃにバッファリングされた各出力用画像データに基づいて変調したレーザビームをＬＤ３０１ａから照射させ、コリメータレンズ３０２ａ、シリンドリカルレンズ３０２ｂを介して回転多面鏡３０３ａで偏向走査させる。
【００３７】
回転多面鏡３０３ａの各光偏向面で偏向走査された各レーザビームは、ｆθレンズ３０４ａ、ミラー３０４ｂ、３０４ｃを介して感光体３１０を主走査方向に一ラインずつ露光する。また、ミラー３０５ａ、補正シリンドリカルレンズ３０５ｂを介して、レーザビームがＢＤセンサ３０５ｃで受光されると、ＢＤセンサ３０５ｃは検出信号を出力し、レーザヘッド３００は、前記検出信号に基づきレーザビーム照射の水平同期タイミングを調整する。
【００３８】
ポリゴンモータ駆動制御部８１は、画像形成を開始してから終了するまで、回転多面鏡３０３ａの回転速度を所定の値で一定に維持するように構成される。
【００３９】
プロセス速度制御部８２は、本発明におけるプロセス速度切替部であり、モノクロ画像のページとカラー画像のページが混在する画像を出力するとき、画像形成を開始した後、画像形成中であっても、ページ単位で感光体３１０のプロセス速度を切り替えるように構成され、カラー識別部２０の識別結果に基づいて、出力用画像データがモノクロデータであるときのプロセス速度よりカラーデータであるときのプロセス速度が小となるように切り替える。具体的には、モノクロとカラーのプロセス速度の比率は３対２に設定される。ここで、プロセス速度制御部８２は、メインモータ（不図示）の回転数を制御して感光体３１０の回転速度を目標速度に設定するように構成される。
【００４０】
画像入力部１が受信した画像データが、先ずはモノクロデータでなり途中から前記モノクロデータと副走査方向に同一の解像度を有したカラーデータとなるように構成されているとき、ポリゴンモータ駆動制御部８１は、ポリゴンモータ３０３ｂを制御して、所定の回転速度で回転多面鏡３０３ａを回転駆動し、当該画像データの画像形成処理が終了するまで当該回転速度を一定に保持する。
【００４１】
しかし、プロセス速度制御部８２は、出力用画像データが前記モノクロデータからカラーデータになると、プロセス速度を前記カラーデータに対応する値に切り替えるため、感光体３１０に形成される潜像は、副走査方向に圧縮されてしまう。
【００４２】
詳述すると、モノクロデータとカラーデータの夫々に設定されたプロセス速度の比率は３対２であるため、モノクロデータの出力用画像データに基づいて変調されたレーザビームにより露光された感光体３１０に図４（ａ）に示すような潜像が形成されたとすると、色成分は異なるものの画像形成する画素が前記モノクロデータと同一の画像データでなるカラーデータの出力用画像データに基づいて変調されたレーザビームにより露光された感光体３１０には、図４（ｂ）に示すような潜像が形成される。
【００４３】
つまり、前記カラーデータの出力用画像データに基づいて感光体３１０に形成される潜像は、副走査方向に３分の２に圧縮されてしまう。ここで、図４（ａ）、図４（ｂ）に示すＬ１、Ｌ２は夫々、モノクロデータ及びカラーデータに基づき変調されたレーザビームが露光して感光体３１０に形成する潜像の一ライン分の幅、換言すると副走査方向一画素分の長さである。
【００４４】
そこで、画像形成中に出力用画像データがモノクロデータからカラーデータとなるとき、画像処理部２は、カラー識別部２０の識別結果に基づいて、前記カラーデータの出力用画像データを生成する際に、前記カラーデータに対応するプロセス速度に応じて前記出力用画像データを補正し、前記潜像の副走査方向倍率を所定倍率に調整するように構成される。
【００４５】
つまり、画像処理部２はプロセス速度に応じて出力用画像データを補正し、副走査方向倍率を調整する像倍率調整部２１を備え、像倍率調整部２１は、カラーデータの出力用画像データの副走査方向画素をプロセス速度の切替比率に基づく画素単位に補間するように構成される。
【００４６】
更に説明すると、像倍率調整部２１は、当該カラーデータの出力用画像データの副走査方向画素をプロセス速度の切替比率に基づく画素単位に直前または直後の画素データを補間するように構成され、カラーデータの出力用画像データの副走査方向画素を、二画素毎に直前または直後の画素データで補間するのである。当該画像データが補間された出力用画像データに基づいて変調されたレーザビームにより露光された感光体３１０には、図４（ｃ）に示すような潜像が形成され、副走査方向倍率が本来あるべき倍率に調整されている。
【００４７】
画像入力部１が受信した画像データが、先ずはモノクロデータでなり途中から前記モノクロデータと副走査方向に同一の解像度を有したカラーデータとなるように構成されているときにおける、感光体３１０への潜像形成動作について、図５に示すフローチャートを用いて説明する。
【００４８】
画像処理部２は、ＲＡＭに格納された画像データからページ単位で出力用画像データを生成し（Ｓ１）、ポリゴンモータ駆動制御部８１は所定の回転速度で回転多面鏡３０３ａを回転駆動し（Ｓ２）、プロセス速度制御部８２はモノクロデータに対応する回転速度で感光体３１０を回転駆動し（Ｓ３）、レーザ駆動制御部８０に制御されたレーザヘッド３００は、各出力用画像データに基づいてレーザビームを照射して感光体３１０に潜像を形成する（Ｓ４）。
【００４９】
出力用画像データがカラーデータになると（Ｓ５）、カラー識別部２０の識別結果に基づき、プロセス速度制御部８２は、回転多面鏡３０３ａの回転速度をカラーデータに対応する値に切り換え、像倍率調整部２１は出力用画像データの補間処理を行い、レーザヘッド３００は、補間処理後の出力用画像データに基づいてレーザビームを照射して感光体３１０に潜像を形成する（Ｓ６、Ｓ７、Ｓ８）。
【００５０】
以下に、別実施形態について説明する。
【００５１】
上述の実施形態において、プロセス速度が副走査方向の解像度に応じて切替え可能に構成されている場合であっても、各解像度に応じてカラーデータとモノクロデータのプロセス速度を切替える場合に、本発明を適用することができる。
【００５２】
上述の実施形態では、モノクロ画像のページとカラー画像のページが混在する画像を出力するとき、モノクロとカラーのプロセス速度の比率が３対２であるものとして説明したが、これに限定するものではなく、任意の整数比となるように設定されるものであってもよい。例えば、画像品質を維持するため、画像の劣化が生じることのない限界値である４対３とするものであってもよい。更には、モノクロとカラーのプロセス速度の比率は、任意の整数比に限定するものでもなく、モノクロデータであるときのプロセス速度よりカラーデータであるときのプロセス速度が小となるように設定されるものであればよい。
【００５３】
上述の実施形態では、像倍率調整部２１は、カラーデータの出力用画像データの副走査方向画素をプロセス速度の切替比率に基づく画素単位に直前または直後の画素データを補間するものとしたが、非印字データを補間するものであってもよい。
【００５４】
上述の実施形態では、像倍率調整部２１は、カラーデータの出力用画像データの副走査方向画素をプロセス速度の切替比率に基づく画素単位に直前または直後の画素データを補間するものとしたが、直前及び直後の所定数の画素データから算出される値を補間するものであってもよい。
【００５５】
上述の実施形態では、像倍率調整部２１は、画像形成中に出力用画像データがモノクロデータからカラーデータとなるとき、前記カラーデータの出力用画像データの副走査方向画素をプロセス速度の切替比率に基づく画素単位に補間するものとしたが、画像形成中に出力用画像データがカラーデータからモノクロデータとなるとき、前記モノクロデータの副走査方向画素をプロセス速度の切替比率に基づく画素単位に間引くものであってもよい。
【００５６】
上述の実施形態では、像倍率調整部２１は、画像処理部２が備えるものとしたが、図６に示すように、バッファ３０１ｃが備える構成であってもよい。
【００５７】
上述の実施形態では、本発明の説明に用いたプリンタＡは、所謂ロータリー式の現像部を備えるものとして説明したが、例えば、図７に示すように、タンデム型の画像形成部を備えるなど、ロータリー式以外の画像形成装置であっても本発明を適用することができる。この場合、転写ベルト及び各感光体ユニットの感光体の駆動速度をカラーデータとモノクロデータとに応じて切替えるように構成すればよく、各感光体の駆動速度は、例えば、メインモータにより各感光体ユニットの感光体が回転駆動されるときには前記メインモータの回転数を制御し、各感光体ユニットの感光体が夫々個別に設置された駆動モータにより回転駆動されるときには各駆動モータの回転数を制御して切替えることができる。尚、図７で各部に付した番号は図３で対応する各部に付した番号と対応するものである。
【００５８】
上述の実施形態では、本発明の説明に電子写真方式を採用したプリンタＡを用いたが、本発明はプリンタ以外にも複写機、複合機など、電子写真方式を採用した画像形成装置全般に用いることができる。
【００５９】
尚、上述した実施形態は何れも本発明の一実施例に過ぎず、当該記載により本発明の範囲が限定されるものではなく、各部の具体的構成は本発明による作用効果を奏する範囲において適宜変更設計することができることは言うまでもない。さらに、上述の複数の実施形態を適宜組み合わせて構成しても良い。
【図面の簡単な説明】
【００６０】
【図１】レーザヘッドの説明図
【図２】プリンタの説明図
【図３】画像形成部の説明図
【図４】（ａ）はモノクロデータに基づいて感光体（モノクロデータに対応するプロセス速度で回転）に形成される潜像の説明図、（ｂ）はカラーデータに基づいて感光体（モノクロデータに対応するプロセス速度で回転）に形成される潜像の説明図、（ｃ）は補間処理されたカラーデータに基づいて感光体（モノクロデータに対応するプロセス速度で回転）に形成される潜像の説明図
【図５】潜像形成動作を説明するフローチャート
【図６】レーザヘッドの説明図
【図７】別実施形態を示し、画像形成部の説明図
【符号の説明】
【００６１】
１：画像入力部
２：画像処理部
２０：カラー識別部
２１：像倍率調整部
８０：レーザ駆動制御部
８１：ポリゴンモータ駆動制御部
８２：プロセス速度切替部（プロセス速度制御部）
３０１ａ：レーザダイオード（ＬＤ）
３０１ｃ：バッファ
３０３ａ：回転多面鏡
３０３ｂ：ポリゴンモータ
３１０：感光体
【図１】
2008292518.tif 000003
【図３】
2008292518.tif 000004
【図４】
2008292518.tif 000005
【図５】
2008292518.tif 000006
【図６】
2008292518.tif 000007
【図７】
2008292518.tif 000008
【図２】
2008292518.tif 000009